(57)【要約】      （修正有）【課題】ロック機能を備えた容器を提供する。【解決手段】ロック機能を備えた容器は、安全性が高く、不当に開けられることを防止可能で、カップ体１０、該カップ体１０上を選択的に塞ぐ蓋体１５により構成し、容器上には制御ユニット２０、識別ユニット３０、ロックセット４０を設置し、ロックセット４０はカップ体１０と蓋体１５との間に、選択的に相対して係合しロックが可能なロック棒とロック孔を設置し、制御ユニット２０と識別ユニット３０を通して、使用者の指紋を予め設定することができ、しかもロックセット４０を利用して蓋体１５とカップ体１０とのロックとロック解除を選択的に制限でき、容器が使用者を認識しなければ、蓋体１５を開くことはできないため、容器の蓋体１５が任意に開けられることを防止し、容器使用の安全性を向上させ、事故、事件の発生を減らすことができる。【選択図】図１
0003160229.tif 000002
【実用新案登録請求の範囲】
【請求項１】
カップ体、前記カップ体上を選択的に塞ぐ蓋体により構成し、
前記カップ体は、開口に近い位置に、係合部を備え、
前記蓋体は、前記係合部に相対する係合部を備え、
前記カップ体と前記蓋体上には、制御ユニット、識別ユニット、ロックセットを設置し、前記制御ユニットは、予め設定した指紋を保存することができ、前記識別ユニットから伝送された信号を受信することができ、これにより前記ロックセットの開閉を操作し、
前記識別ユニットは、使用者の指紋を識別する機能を備え、前記ロックセットは、前記蓋体の前記カップ体に相対した分離を選択的に制限でき、
こうして使用の安全性を向上させられることを特徴とするロック機能を備えた容器。
【請求項２】
前記カップ体の係合部を外ネジヤマとし、前記蓋体の係合部を内ネジヤマとし、
しかも前記ロックセットは、前記蓋体の受動回転を制限可能であることを特徴とする請求項１に記載のロック機能を備えた容器。
【請求項３】
前記制御ユニットと前記識別ユニットは、前記カップ体上に設置し、
前記ロックセットは、前記カップ体上に、選択的な作動が可能なロック棒を設置し、しかも前記ロックセットは、前記蓋体上に、前記ロック棒に対応するロック孔を形成し、
これにより、前記ロックセットのロック棒が、前記ロック孔内に挿入されて係合すると、前記カップ体に相対した前記蓋体の回転、開放を制限可能であることを特徴とする請求項１或いは２に記載のロック機能を備えた容器。
【請求項４】
前記制御ユニットと前記識別ユニットは、前記蓋体上に設置し、
前記ロックセットは、前記蓋体中心に、前記制御ユニットの選択的回転を受ける回転軸を設置し、
前記回転軸周縁には、少なくとも１個のロック棒を設置し、しかも前記ロックセットは、前記カップ体において、前記ロック棒位置に対応して、相対するロック孔を形成し、
これにより前記ロックセットの回転軸が回転すると、前記蓋体上に設置するロック棒は、前記カップ体に設置するロック孔内に相対して挿入されロックされ、
こうして前記蓋体を前記カップ体上に係合してロックする目的を達成することを特徴とする請求項１或いは２に記載のロック機能を備えた容器。
【考案の詳細な説明】
【技術分野】
【０００１】
本考案はロック機能を備えた容器に関し、特に使用者が外出時に容器を使用して飲料を飲用する際の安全性を向上させられる容器が任意に開放されるのを防止可能なロック機能を備えた容器に関する。
【背景技術】
【０００２】
化学技術が進歩し、睡眠障害を解決する睡眠導入剤、精神を安定させられる精神安定剤など化学薬物の作用はますます複雑に発展しており、これにより生活上の多くの問題が解決できるようになっている。しかも、患者が安心して服用できるよう、この種の薬物は、無味無臭の方向に向って発展している。各種薬物は、人々に有益である反面、悪意を持った者が誤った使用を行えば、他人にとっては脅威となる。例えば、近年では、不逞の輩が睡眠導入剤を飲料に加え、飲用者を昏睡状態に陥らせ、その持ち物を一切合財持ち去るというような事件も起きており、深刻な治安及び社会問題となっている。
【０００３】
上記した薬物不当使用の問題は、飲用に用いる容器に主因がある。
このタイプの容器は、通常はカップ体と蓋体により組成する。
蓋体は、カップ体の開口を選択的に塞ぐことができるが、蓋体は良くても螺合方式により選択的にロックできるだけであるため、悪意のある人は機会をうかがい、蓋を開け、薬を投入することができ、その保護効果は十分ではない。
すなわち、現在外で飲む飲料の安全性は高くないと言える。
これでは、飲料容器から視線を離すことができず、トイレにも行けず、或いは離れる前に飲料を飲み干さなければならず、社交活動に悪影響が及ぶ恐れがある。
つまり、現在の飲料容器は、飲用の安全性に対するニーズを満たしていない。
本考案は、従来の飲料容器の上記した欠点に鑑みてなされたものである。
【考案の概要】
【考案が解決しようとする課題】
【０００４】
本考案が解決しようとする課題は、使用者は必要に応じて選択的にロックでき、容器が任意に開放されるのを防止可能で、これにより容器使用の安全性を向上させられるロック機能を備えた容器を提供することである。
【課題を解決するための手段】
【０００５】
上記課題を解決するため、本考案は下記のロック機能を備えた容器を提供する。
ロック機能を備えた容器は、カップ体、該カップ体上を選択的に塞ぐ蓋体により構成し、該カップ体は、開口に近い位置に、係合部を備え、
該蓋体は、該係合部に相対する係合部を備え、
該カップ体と該蓋体上には、制御ユニット、識別ユニット、ロックセットを設置し、
該制御ユニットは、予め設定した指紋を保存することができ、該識別ユニットから伝送された信号を受信することができ、これにより該ロックセットの開閉を操作し、
該識別ユニットは、使用者の指紋を識別する機能を備え、該ロックセットは、該蓋体の該カップ体に相対した分離を選択的に制限できる。
【考案の効果】
【０００６】
本考案ロック機能を備えた容器は、制御ユニットと識別ユニットを通して、使用者の指紋を予め設定することができ、しかもロックセットを利用して蓋体とカップ体とのロックとロック解除を選択的に制限でき、容器が使用者を認識しなければ、蓋体を開くことはできないため、容器の蓋体が任意に開けられることを防止し、容器使用の安全性を向上させ、事故、事件の発生を減らすことができる。こうして、容器の付加価値を高め、経済的効果を高めることができる。
【図面の簡単な説明】
【０００７】
【図１】本考案容器の第一実施例において、その組合せ後の状態を示す立体外観表示図である。
【図２】本考案容器の第一実施例において、その主要部品の形態とその相対関係を示す立体分解表示図である。
【図３】本考案容器の第一実施例において、そのロック係合時の動作状態を示す側視動作表示図である。
【図４】本考案容器の第二実施例の立体外観表示図である。
【図５】本考案容器の第二実施例の立体分解表示図である。
【図６】本考案容器の第二実施例の平面動作表示図である。
【考案を実施するための形態】
【０００８】
本考案ロック機能を備えた容器の具体的実施例及びその構成部品において、前後、左右、頂点部と底部、水平と垂直などは、説明の便のために参考に示すに過ぎず、本考案を限定するものではなく、その構成部品を任意の位置或いは空間方向に制限するものでもない。図示と説明書中に指定するサイズは、本考案の実用新案登録請求の範囲を離脱しない範囲において、本考案の具体的な実施例の設計とニーズに基づき、変化を加えることができる。以下に図面を参照しながら本考案を実施するための最良の形態について詳細に説明する。
【実施例】
【０００９】
図１、２に示すように、本考案ロック機能を備えた容器は、カップ体１０、カップ体１０上を選択的に塞ぐ蓋体１５により構成する。カップ体１０は、開口に近い位置に、係合部１１を備える。蓋体１５は、係合部１１に相対する係合部１６を備える。これにより係合部１６を利用して、カップ体１０の係合部１１上に、蓋体１５を選択的に嵌めて蓋をすることができる。係合部１１、１６は、螺合方式或いは緊密に嵌める方式を選択することができる。本実施例では、カップ体１０の係合部１１を外ネジヤマとし、蓋体１５の係合部１６を内ネジヤマとする。カップ体１０と蓋体１５の構造及び動作原理は、従来の構造と相同で、本考案の特徴ではないため、詳述しない。
【００１０】
図２、３に示すように、本考案ロック機能を備えた容器は、カップ体１０と蓋体１５上に、制御ユニット２０、識別ユニット３０、ロックセット４０を設置する。制御ユニット２０は、カップ体１０の周辺或いは底部などのカップ体１０上に設置する。しかも、制御ユニット２０は、制御用回路板及び電池を備え、予め設定した使用者の指紋を保存することができ、識別ユニット３０から伝送された信号を受信することができ、これによりロックセット４０の開閉を操作する。
【００１１】
識別ユニット３０は、カップ体１０外周面に設置し、使用者の指紋を識別する機能を備える。また、ロックセット４０は、カップ体１０の蓋体１５に近い位置に、選択的に上下動作が可能なロック棒４１を設置する。しかも、ロックセット４０は、蓋体１５に近いカップ体１０位置に、ロック棒４１に対応するロック孔４２を設置する。これにより、ロックセット４０のロック棒４１は、ロック孔４２ないに挿入する時(図３参照)、蓋体１５の係合部１６のカップ体１０の係合部１１に相対して回転を制限することができる。これにより、使用の安全性を向上させることができるロック機能を備えた容器構造を構成する。
【００１２】
上記した設計において、本考案の容器を実際に運用する際の操作を図１、２、３に示す。使用者が蓋体１５をロックしようとする場合には、先ず蓋体１５を、係合部１６によりカップ体１０の係合部１１上に螺合し、ロックセット４０のロック棒４１とロック孔４２とを相対させる。この時、制御ユニット２０は、ロックセット４０のロック棒４１を動かし、ロック孔４２内に挿入する。これにより、蓋体１５は制限を受け、反対側へ回すことができなくなり、蓋体１５は、カップ体１０上に安定的に係合される。こうして、蓋体１５が任意に開放され、有害な薬物を投入される恐れを払拭することができる。
【００１３】
使用者自身が飲料を飲用しようとする時には、設定済みの指により、識別ユニット３０上を押す。すると、識別ユニット３０は、使用者の指紋を識別し、制御ユニット２０内に予め保存されていた指紋と比較する。制御ユニット２０が、間違いがないと確認すると、ロックセット４０のロック棒４１を作動させ下方へと移動させる。これにより、カップ体１０上のロック棒４１は、蓋体１５上のロック孔４２を離脱し、蓋体１５は、カップ体１０に相対して回転できるようになり、蓋体１５を開放する目的を達成することができる。こうして、使用者は自ら飲用可能で、飲料飲用の安全性を維持することができる。
【００１４】
図４、５、６に示すように、本考案第二実施例のロック機能を備えた容器は、カップ体１０と蓋体１５上に、制御ユニット５０、識別ユニット６０、ロックセット７０を設置する。制御ユニット５０は、蓋体１５上に設置し、しかも制御ユニット５０は、制御用回路と電池などを備える。識別ユニット６０は、蓋体１５の外周面上に設置する。ロックセット７０は、蓋体１５とカップ体１０との間に設置する。ロックセット７０は、蓋体１５中心に、制御ユニット５０の選択的回転を受ける回転軸７１を設置する。回転軸７１周縁には、少なくとも１個のロック棒７２を設置し、本考案では、相対する２個のロック棒７２を主要実施例とする。しかも、ロックセット７０は、カップ体１０において、ロック棒４１位置に対応して、相対するロック孔７３を形成する。これにより、ロックセット７０の回転軸７１が回転すると、蓋体１５上に設置するロック棒７２は、カップ体１０に設置するロック孔７３内に相対して挿入されロックされる(図６参照)。こうして、蓋体１５をカップ体１０上に係合してロックする目的を達成し、上記した第一実施例と相同の長所と実用価値を達成することができる。
【００１５】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００１６】
本考案は実用新案の要件である新規性を備え、従来の同類製品に比べ十分な進歩を有し、実用性が高く、社会のニーズに合致しており、産業上の利用価値は非常に大きい。
【符号の説明】
【００１７】
１０  カップ体
１１  係合部
１５  蓋体
１６  係合部
２０  制御ユニット
３０  識別ユニット
４０  ロックセット
４１  ロック棒
４２  ロック孔
５０  制御ユニット
６０  識別ユニット
７０  ロックセット
７１  回転軸
７２  ロック棒
７３  ロック孔
【図１】
0003160229.tif 000003
【図２】
0003160229.tif 000004
【図３】
0003160229.tif 000005
【図４】
0003160229.tif 000006
【図５】
0003160229.tif 000007
【図６】
0003160229.tif 000008